(57)【要約】 【課題】部品を増加させることなく、組立作業性を向上させるとともに、撮像装置で発生する雑音を低減した音声記録を行うこと。【解決手段】マイクとマイク信号を配線するフレキシブル基板と、弾性材料で形成され、前記マイクに装着可能なマイクブッシュとを有し、前記マイクブッシュには、マイク集音部が配置された面と側面の一部分を覆う囲い壁部を形成する第一のマイク囲い壁部と、前記第一のマイク囲い壁部で覆われた範囲を除いたマイク集音部が配置された面と側面を覆う囲い壁部を形成する第二のマイク囲い壁部と、マイクが配置されたフレキシブル基板の裏面を覆う底面部と、底面部と第一のマイク囲い壁部の一端とを折り畳み可能に連結された第一の連結部と、底面部と第二のマイク囲い壁部の一端とを折り畳み可能に連結された第二の連結部と、を備えることを特徴とする。【選択図】  図７
2015115810.tif 000002
【特許請求の範囲】
【請求項１】
マイク１２ｅと、
前記マイクが配置されマイク信号を配線するフレキシブル基板１２と、
弾性材料で形成され、前記マイクに装着可能なマイクブッシュ１７と、
前記マイクブッシュには、
マイク集音部１２ｅａが配置された面と側面の一部分を覆う
囲い壁部を形成する第一のマイク囲い壁部１７ｃと、
前記第一のマイク囲い壁部で覆われた範囲を除いた
マイク集音部１２ｅａが配置された面と側面を覆う囲い壁部を形成する
第二のマイク囲い壁部１７ｄと、
マイクが配置されたフレキシブル基板の裏面を覆う底面部１７ａと、
前記底面部と前記第一のマイク囲い壁部の一端とを折り畳み可能に連結された
第一の連結部１７ｃａと、
前記底面部と前記第二のマイク囲い壁部の一端とを折り畳み可能に連結された
第二の連結部１７ｄａと、
を備えることを特徴とする電子機器。
【請求項２】
前記マイクブッシュを装着した前記マイクを収容する収容部１８ａが形成される
内部部材１８と、
を備え、
前記収容部１８ａに、前記マイクブッシュを装着した前記マイクを組み込むことで、
前記第一の囲い壁部と前記第二の囲い壁部が収容部に倣って、
前記第一の連結部と前記第二の連結部が変形され、
前記第一のマイク囲い壁部１７ｃと前記第二のマイク囲い壁部１７ｄが合わさり、
マイク集音部１２ｅａを除く全面を覆うことを特徴とする請求項１に記載の電子機器。
【発明の詳細な説明】
【技術分野】
【０００１】
本発明は、電子機器に関し、特に、マイクを備える電子機器に関する。
【背景技術】
【０００２】
マイクの周囲をゴムなどの弾性材料で形成したマイクホルダで覆って、電子機器内部に配置することで、雑音を低減させることが知られている。
【０００３】
従来、撮像素子から出力される画像信号・画像情報等をデータファイルとして記録するデジタルカメラが広く普及している。デジタルカメラ（以降、撮像装置）では、ズームレンズから取り込んだ光を撮像素子に結像させ、電気信号に変え、デジタル信号に変換したのち液晶表示部に表示する。
【０００４】
近年、撮像装置は、静止画のみならず動画撮影機能が搭載され、さらに、動画撮影中に音声情報の記録を行い、動画再生に合わせて音声情報を再生する機能を備えているものがある。このような動画撮影機能を有する撮像装置では、静止画像、動画像および音声情報は電気信号に変換された後、所定の形態のデータとして記録媒体に記録されるようになっている。
【０００５】
このような音声情報の記録を行う撮像装置において、例えば動画記録の際に同時録音を行う場合、音声入力手段である撮像装置に内蔵したマイクが利用される。
【０００６】
撮像装置に内蔵したマイクで音声記録を行う場合、撮像装置から発生する様々な作動音が入力されてしまう弊害が生じる。撮像装置では、撮影レンズを移動させる変倍手段（ズ−ム動作）、合焦調整手段（フォ−カス動作）、ブレ補正手段等に駆動モ−タを有している。従って、駆動モ−タ自体や当該駆動モ−タの駆動力を伝える為の駆動力伝達手段（ギヤ等）から発生する駆動音、撮影レンズ保持枠が移動する際に発する摺動音等が、撮像装置内部から発生する。また、マイクに接続されるリード線やフレキシブル基板が振動することによっても雑音が発生する。
【０００７】
特許文献１には、マイクホルダによって、駆動音や摺動音等の雑音低減やマイクの振動を抑える技術が開示されている。
【０００８】
特許文献２には、マイクエレメントをマイクブッシュに挿入する際に、マイクエレメントの外径よりも小さいマイクブッシュ開口部に組み込む技術が開示されている。
【先行技術文献】
【特許文献】
【０００９】
【特許文献１】特開2007-194708号公報
【特許文献２】特開2013-162300号公報
【発明の概要】
【発明が解決しようとする課題】
【００１０】
しかしながら、上述の特許文献１に開示された従来技術では、マイクホルダによって、駆動音や摺動音等の雑音低減やマイクの振動を抑えることは出来るものの、リード線やフレキシブル基板が振動することに対しては考慮されていない。
【００１１】
特許文献２に開示された従来技術では、マイクエレメントをマイクブッシュに挿入する際に、マイクエレメントの外径よりも小さいマイクブッシュ開口部に組み込む。そのため、組み込む際にマイクブッシュ開口部を広げてマイクエレメントをマイクブッシュ内側に挿入する必要があり、組立作業性が低いものになっている。
【００１２】
また、マイクブッシュにはマイクに接続されるリード線やフレキシブル基板を引き出すための挿通口が設けられている。挿通口からボディ内部で発生した音がマイクに伝わって集音されることがある為、出来るだけ小さくする必要がある。しかしながら、リード線やフレキシブル基板は柔軟性がある為に、小さい挿通口にリード線やフレキシブル基板が思うように挿入されず組立作業性が低いものになっている。
【課題を解決するための手段】
【００１３】
本発明は、係る問題点に鑑み、本発明の電子機器は、マイクとマイク信号を配線するフレキシブル基板と、弾性材料で形成され、前記マイクに装着可能なマイクブッシュとを有し、前記マイクブッシュには、マイク集音部が配置された面と側面の一部分を覆う囲い壁部を形成する第一のマイク囲い壁部と、前記第一のマイク囲い壁部で覆われた範囲を除いたマイク集音部が配置された面と側面を覆う囲い壁部を形成する第二のマイク囲い壁部と、マイクが配置されたフレキシブル基板の裏面を覆う底面部と、底面部と第一のマイク囲い壁部の一端とを折り畳み可能に連結された第一の連結部と、底面部と第二のマイク囲い壁部の一端とを折り畳み可能に連結された第二の連結部と、を備えることを特徴とする。
【発明の効果】
【００１４】
本発明は、部品を増加させることなく、組立作業性を向上させるとともに、撮像装置で発生する雑音を低減した音声記録を行うことができる撮像装置を提供することを目的とする。
【図面の簡単な説明】
【００１５】
【図１】（ａ）は本発明に関わる撮像装置の正面斜視図である。（ｂ）は本発明に関わる撮像装置の背面斜視図である。
【図２】本発明に関わる撮像装置の外観部を構成する各ユニットを展開した展開斜視図である。
【図３】（ａ）本発明に係る電源ボタンと再生ボタンとＡＦ_ＬＥＤ窓の構成と組立に関わる分解斜視図である。（ｂ）は本発明に係るズームレバーの構成と組立に関わる分解斜視図である。（ｃ）は本発明に係るモードダイヤルの構成と組立に関わる分解斜視図である。
【図４】（ａ）は本発明に係る操作フレキシブル基板ユニットの構成を説明する分解斜視図である。（ｂ）は本発明に関わる操作フレキシブルユニットの完成した様子を説明する正面斜視図と背面斜視図である。（ｃ）は本発明に関わる操作フレキシブルユニットを上面カバーに組み立てる様子を説明する図である。
【図５】（ａ）は本発明の実施例に係るマイクブッシュユニットの構成を説明する分解斜視図である。（ｂ）は本発明の実施例に係るマイクブッシュの組立方法を説明する斜視図である。（ｃ）は本発明の実施例に係るマイクホルダの組立方法を説明する斜視図である。
【図６】本発明に係る無線通信基板ユニットの構成と組立に関わる分解斜視図である。
【図７】（ａ）は本発明に関わるマイクホルダユニットと無線通信基板ユニットを上面カバーに組み立てる様子を説明する図である。（ｂ）は本発明に関わる上面カバーユニット状態におけるマイクブッシュの状態を説明する断面図である。
【発明を実施するための形態】
【００１６】
以下に、本発明の好ましい実施形態を、添付の図面に基づいて詳細に説明する。
【００１７】
［実施例１］
以下に、本発明に関わる形態について、添付図面を参照して詳細に説明する。
【００１８】
図１は本発明の実施形態に係わる外観図で、図１（ａ）は正面から見た斜視図、図１（ｂ）は背面から見た斜視図である。図１（ａ）で、撮像装置本体１には、被写体像を撮像素子に結像される撮影光学系レンズ鏡筒２が固定されている。
【００１９】
撮像装置本体１は、フロントカバー３１およびリアカバー７１、サイドカバー６１から外観が構成されている。フロントカバー３１およびリアカバー７１はアルミニウム、ステンレス等の金属製の板材にプレス加工等の加工を施すことにより形成される。上面カバー４０、サイドカバー６１は樹脂で形成される。撮影光学系レンズ鏡筒２は沈胴式のズームレンズで撮影レンズおよびズーム機構、シャッタ機構、フォーカス機構等を搭載した、公知の鏡筒である。携帯時は撮像装置本体１の中に沈胴している。
【００２０】
撮影光学系レンズ鏡筒２の後方には、光学像を光電変換して画像デ−タを生成するＣＣＤやＣＭＯＳイメ−ジセンサ等の撮像素子（不図示）が実装されている。撮像装置本体１は、カメラの中央処理装置であるＣＰＵを搭載し、各々のフレキシブル配線基板を電気的に接続するためのコネクタを備えているメイン基板（不図示）が実装されている。
【００２１】
撮像装置本体１の右上方には、撮影時に被写体の明るさが足りない時に発光するストロボユニット５が設けられている。撮像装置本体１上面には、上面カバーユニット４が設けられている。上面カバーユニット４には、撮像装置本体１の中央に、自動合焦の精度を向上させる時に発光するＡＦ_ＬＥＤ窓４１と撮像装置に内蔵したマイクに音声を取り込むマイク穴４０１が設けられている。
【００２２】
また、上面カバーユニット４には、電源ボタン４２、再生ボタン４３、シャッターボタン４４、回転操作型のズームレバー４５、回転操作型のモードダイヤル４６が取り付けられている。撮像装置本体１の下方には、電池蓋８があり、電源となる主電池と撮影された被写体像を記録する記録媒体を収納する電池室を開閉可能としている。主電池は使い切り式一次電池の場合もあり充電式電池の場合もある。電池蓋８を開くことによって、電池室が開口し主電池と記録媒体が挿脱可能になる。
【００２３】
図１（ｂ）は本発明の電子撮像装置を後ろ方向から見た斜視図を示している。撮像装置本体１のグリップ側側面は電源や信号の入出力用ジャックが設けられジャック保護用のカバー部材９１、９２が取り付けられている。カバー部材９１、９２を開くことで入出力用ジャックへの各種ケーブル類の抜き差しが可能となる。
【００２４】
撮像装置本体１の背面には、液晶表示装置（ＬＣＤ）１０が設けられている。液晶表示装置（ＬＣＤ）１０は撮像する被写体像の確認や、撮像された画像の再生表示に用いられる。液晶表示装置（ＬＣＤ）１０の横には、複数の操作ボタン群７２が設けられている。複数の操作ボタン群７２は、例えば撮影条件の変更、ＬＣＤの表示形態の変更といった機能を指示する際に利用する。
【００２５】
以下、図２乃至図５を参照して、本発明の上面カバーユニットにおけるマイクホルダの構成について説明する。
【００２６】
図２は本発明の撮像装置の外観部を構成する各ユニットを展開した展開斜視図である。本発明の撮像装置は、本体内部構成部品に対して、外観部を構成するフロントカバーユニット３、上面カバーユニット４、サイドカバーユニット６、リアカバーユニット７を組み付けることにより、完成する。
【００２７】
図３乃至図７は上面カバーユニットの構成部品を説明する分解斜視図である。電源ボタン４２と再生ボタン４３は上面カバー４０の裏側から取り付けられる。電源ボタンと再生ボタンのキートップ４２ａと４３ａを上面カバー部材４０の穴からのぞかせ、キートップ４２ａと４２ａから延びたバネ部４２ｂと４３ｂの先端にある固定接着部４２ｃと４３ｃを上面カバーから延びた軸４０２ｃと４０３ｃに差し込み接着剤を流し込んで固定する。
【００２８】
ＡＦ_ＬＥＤ窓４１は窓部４１ａを上面カバー部材４０の穴からのぞかせ、窓部のフランジから延びた軸４１ａを上面カバーに設けた凹部４０１ａに差し込み接着剤を流し込んで固定する。
【００２９】
レリーズボタン４４は、上面に円盤状のキートップ４４ａが有り、キートップの中心から下方に延びた軸４４ｂが延びている。軸４４ｂにはＥリング４４０を取り付ける為の溝形状４４ｃが設けてある。
【００３０】
ズームレバー４５の上面には２段の中空部が存在し、上側の大きな中空部にはレリーズボタンのキートップ４４ａが入り込むスペースが有る。下側の小さな中空部には圧縮バネ４４１を収納するスペースが有る。２段の中空部の中心にレリーズボタンの軸４４ｂを通す穴４５ａが設けてある。ズームレバー４５の下面には回転軸４５ｂが設けられている。回転軸４５ｂの外側に軸４５ｃ（２箇所）とズームホルダ取付軸４５ｄが３箇所ほぼ等間隔に設けてある。軸４５ｃの中心にはセルフタップビスをねじ込むネジ穴が設けられている。ズームホルダ取付軸の先端にはズームホルダ４５０の穴４５０ｂに差し込まれ位置を規制するボスが延出されている。
【００３１】
ズームレバー４５の小さな中空部に圧縮バネ４４１を入れ、その上からレリーズボタン４４を組み付ける。レリーズボタン４４の軸４４ｂを穴４５ａに挿入し、軸４４ｂに設けた溝４４ｃが見えるまでレリーズボタンを押しこみ、Ｅリング４４０を組み付ける。レリーズボタン４４は、圧縮バネ４４１でレリーズボタンを上方向に付勢する力を受け、Ｅリング４４０でズームレバー４５に抜け止めされる構成となっている。レリーズボタン４４は、レリーズボタン４４が押された後、指を離すと圧縮バネ４４１の力で、上方向の初期位置に自動復帰する。
【００３２】
上面カバー４０には、ズームレバー４５の下側方向に延出した回転軸４５ｂが挿入できるように貫通穴４０５ａが設けられている。なお、貫通穴４０５ａはズームレバー４５の回動中心穴であり、回転軸４５ｂと回転摺動嵌合されている。また、上面カバー４０には、ズームレバーから延出し、外形方向に略等間隔に配置された軸４５ｃ（２箇所）とズームホルダ取付軸４５ｄが挿入できるように複数（３箇所）の扇形状の貫通穴４０５ｂも設けられている。この扇形状の貫通穴４０５ｂと軸４５ｃがズームレバー４５の回転ストッパを構成する。
【００３３】
コイルバネ４５１は、ズームレバーを中立位置に復帰する復帰力を与えるバネで、ピアノ線やステンレスの線材から出来ている。このコイルバネには、上面カバー部材の下面に設けられた軸４０５ｃに差し込むコイルバネ座巻き部４５１ａとズームホルダに設けられたＴ字のバネ掛け部４５０ｃに捩じった状態で引っ掛けて組み付けるコイルバネ腕部４５１ｂがある。コイルバネ４５１と取り付ける軸４０５ｃの中心にはセルフタップのビスをねじ込むネジ穴が設けられている。
【００３４】
ズームホルダ４５０には、ズームレバーの軸４５ｂが入る穴４５０ａ、ズームレバーのズームホルダ取付軸４５ｄが入る穴４５０ｂ、ズームレバー４５とズームホルダ４５０を固定するビス４５２用の貫通穴４５０ｄ（２箇所）が設けてある。さらに、ズームホルダ４５０には操作フレキシブル基板（図  参照）に実装されたズームスイッチのレバー部材を挟み込むようにして回動させる、腕部４５０ｅが設けてある。
【００３５】
まず、ズームレバーの軸４５ｂとズームホルダ取付軸４５ｄを上面カバーの扇形状４０５ｂに差し込み、上面カバー４０を挟み込むように下側からズームホルダ４５０をあてがう。ズームレバーの軸４５ｂとズームホルダ取付軸４５ｄが、それぞれズームホルダに設けた穴４５０ａと４５０ｂを通り位置が決まり、固定用ビス４５２（２箇所）によりビス締結され一体化する。上面ベース４０にズームレバー４５とズームホルダ４５０を取り付けた後に、操作によって移動させたズームレバーを中立位置に復帰する復帰力を与えるコイルバネ４５１を組み付ける。
【００３６】
モードダイヤル４６は、上面に円盤状のキートップ４６ａが有り、キートップの中心から下方に延びた軸４６ｂが延びている。キートップ４６ａの内側には、凹状のクリック部４６ｃが設けてある。クリック部４６ｃには、ダイヤルを回動させた場合に、所定の回動角度ごとに、圧縮バネ４６４により付勢される球部材４６５が弾性的に係合するようになっている。また、軸４６ｂの中心にはビスをねじ込むネジ穴４６ｃがあり、軸４６ｂの先端にはブラシホルダ取付リブ４６ｄ（２箇所）が延出されている。
【００３７】
ブラシホルダ４６１には、モードダイヤルの取付リブ４６ｄが入る穴４６１ａとモードダイヤル４６とブラシホルダ４６０を固定するビス４６３用の貫通穴４６１ｂが設けてある。また、ブラシホルダには接点ブラシの位置を規制する軸４６１ｃと接点ブラシを熱溶着するための軸４６１ｄが設けてある。
【００３８】
接点ブラシ４６２には、ブラシホルダ４６１の軸４６１ｃと熱溶着用の軸４６１ｄに対応した穴４６２ｃと４６２ｄが設けてあり、対応した穴に軸を通すことで位置が決まり、軸４６１ｄを熱加締めすることにより一体化する。
【００３９】
まず、上面カバーの上側に設けてある中空部（不図示）に圧縮バネ４６４と球部材４６５を入れ込む。次に、モードダイヤルの軸４６ｂを上面カバーの軸受け穴４０６ｂに差し込み、上面カバー４０を挟み込むように下側から接点ブラシを熱加締めして一体化されたブラシホルダをあてがう。モードダイヤルの取付リブ４６ｄが、それぞれブラシホルダに設けた穴４６１ａを通り位置が決まり、固定用ビス４６３によりビス締結され一体化する。モードダイヤル４６が操作されると回動に伴い、接点ブラシ４６２が操作フレキシブル基板のモード検出用のダイヤルパターン（図  参照）を短絡させる。これにより、モードダイヤルがどの回転位置に停止しているかを撮像装置本体側で判別することが可能となっている。
【００４０】
図４は、操作フレキシブル基板の構成および操作フレキシブル基板ユニットの組立方法を示す分解斜視図である。図４（ａ）は操作フレキシブル基板の構成を説明するための分解斜視図であり、図４（ｂ）は操作フレキシブル基板ユニットの完成状態を示す正面斜視図と背面斜視図であり、図４（ｃ）は操作フレキシブル基板ユニットが上面カバーに組み込まれる様子を説明する図である。
【００４１】
操作フレキシブル基板１２には、レリーズボタン４４で押下されるシャッタースイッチ１２ａ、ズームスイッチ１２ｂ、電源ボタンで押下される電源スイッチ１２ｃ、再生ボタンで押下される再生スイッチ１２ｄ、モードダイヤルの接点ブラシ４６２の回動軌道に対応する位置に、複数分割された円弧状のパターンを有する導電パターン１２ｍが備えてある。この導電パターン１２ｍは複数分割された円弧状に形成され、モードダイヤルが操作によって回動された場合に、所定の回転角度位置ごとに接点を切り替えることが可能となる。二つのマイク１２ｅは、撮像装置の幅方向に平行で略直線状に形成されたマイク這い回し部１２ｊに再生スイッチ１２ｄを挟み、所定の距離を持って配置されている。無線基板接続這い回し部１２ｆは、マイク這い回し部１２ｊと平行で直線状に形成され、先端には無線基板接続するための接点部１２ｆａが形成されている。
【００４２】
操作フレキシブル基板１２はメイン基板（不図示）にコネクタ１２ｇを介して接続される。操作フレキシブル基板で受けた入力信号をメイン基板のＣＰＵへ信号を送り、撮像装置の操作を可能にしている。
【００４３】
操作フレキシブル基板１２の固定は、操作フレキシブル基板保持板金１２１から突出した位置決めピン１２１ａ、１２１ｂへ操作フレキシブル基板の穴部１２ｈを通すことで位置決めされ、両面テープ１２２により固定される。さらに、操作フレキシブル基板は折り曲げ部１２ｉから１８０度曲げられ、操作フレキシブル基板保持板金１２１の裏面側に這い回され、両面テープ（不図示）により固定され、操作フレキシブル基板ユニット１２０が完成する。この状態においても、マイク這い回し部１２ｊと無線基板這い回し部１２ｆが撮像装置本体を上面から見た投影面内で被らないような距離関係に設定されている。
【００４４】
操作フレキシブル基板ユニット１２０は、位置決めピン１２１ａを上面カバーの穴部４０７ａに通すことで位置が決まる。上面カバー４０には、固定ビス１２３、１２４に対応した位置に、中心位置にセルフタップのビスをねじ込むネジ穴が形成される軸部４０５ｃ、４０７ｂ、４０７ｃが設けられ、ビス締め固定される。このビス１２４はストラップ取付部を形成したストラップ板金１３を挟み込み共締めする構成となっている。
【００４５】
図５はマイクブッシュとマイクホルダの組立方法を説明する図である。操作フレキシブル基板１２には、撮像装置の幅方向に平行で略直線状に形成されたマイク這い回し部１２ｊがある。このマイク這い回し部１２ｊには、二つのマイク１２ｅと再生スイッチ１２ｄが配置されている。二つのマイク１２ｅはステレオ感を出すために、再生スイッチ１２ｄを挟み、所定の距離を持って配置されている。マイク１２ｅの上面には、集音部１２ｅａが形成されている。再生スイッチ１２ｄは、動画記録時には操作されないため、マイク１２ｅの近傍に再生スイッチを配置してもスイッチ操作音等の雑音が記録されることはない。
【００４６】
マイクブッシュ１７はシリコンゴム等の弾性部材で形成され、マイクが実装された操作フレキシブル基板１２に装着可能な形状に形成されている。マイクブッシュ１７には、マイク１２ｅが配置された操作フレキシブル基板１２の裏面を覆うマイクブッシュ底面部１７ａが形成されている。また、製品状態においてマイク集音部１２ｅａを除くマイク集音部１２ｅａ面と側面を覆い、集音性能を確保するための第一のマイク囲い壁部１７ｃと第二のマイク囲い壁部１７ｄが形成されている。それぞれのマイク囲い壁部１７ｃと１７ｄには、製品状態でマイク集音部１２ｅａを露出させる開口部１７ｃａと１７ｄａが形成され、その周囲には一定の幅で形成されるリブ形状部１７ｃｂと１７ｄｂが形成されている。
【００４７】
底面部１７ａとマイク囲い壁部１７ｃと１７ｄは、操作フレキシブル基板１２のマイク這い回し部１２ｊと平行で対向する２つの面から延出された第一の連結部１７ｃａと第二の連結部１７ｄａにより折り畳み可能に連結されている。このマイク囲い壁部１７ｃと１７ｄはマイクブッシュ単品状態では、マイク１２ｅの組立作業性を良くするため見開き型の状態になるように第一の連結部１７ｃａと第二の連結部１７ｄａが形成され、組立開口部１７ｅが確保されている。
【００４８】
図５（ｂ）は、マイク這い回し部１２ｊに配置されたマイク１２ｅをマイクブッシュ１７に形成された組立開口部１７ｅから内側に入れた状態を示す図である。
【００４９】
マイクブッシュの組立開口部１７ｅは、マイク１２ｅの外形よりも小さいので、マイクブッシュの組立開口部１７ｅを広げて、マイク１２ｅをマイクブッシュ１７の内側に挿入する。マイクブッシュの組立開口部１７ｅを広げようと、マイク囲い壁部１７ｃと１７ｄを広げると底面部１７ａから形成されている連結部１７ｃａと１７ｄａが変形し、マイク１２ｅが組み込めるだけの組立開口を確保することが出来る。連結部１７ｃａと１７ｄａは容易に変形出来る程度で、なお且つ、マイク１２ｅを組み込み時の変形で弾性域を超えない程度の厚みに形成されている。これにより、連結部１７ｃａと１７ｄａに形成されたマイク囲い壁部１７ｃと１７ｄは、容易に折りたたみ可能に形成されている。
【００５０】
図５（ｃ）は、図５（ｂ）の状態に組み立てられたマイクユニット１９をマイクブッシュホルダ１８の収容部１８ａ収容された状態を示す図である。
【００５１】
マイクホルダ１８には、マイク１２ｅとマイクブッシュ１７が収容される収容部１８ａが設けられている。収容部１８ａには、マイクブッシュの側面および底面を囲むように側壁部１８ａａと底面部１８ａｂが形成されている。操作フレキシブル基板１２が這い回される面には収容部１８ａの側面の一部を切り欠くように挿通口１８ａｃが形成されている。
【００５２】
マイクユニット１９がマイクホルダの収容部１８ａに収容され始めると、収容部１８ａに形成された側壁部１８ａａが、初めにマイクブッシュのマイク囲い壁部１７ｃと１７ｄと当接する。マイクホルダの側壁部１８ａａ同士で形成される幅１８ａｃはマイクブッシュの底面部の幅１７ｇよりも広く、収容部の幅１７ｆよりも狭く形成されているので、側壁の形状に倣って、マイク１２ｅをマイク囲い壁部１７ｃと１７ｄが合わさって覆い隠すように変形させられる。したがって、マイクユニット１９をマイクホルダ１８に組み込むことで、マイクブッシュ１７はマイクの集音部１２ｅａを除く全面を覆うことで撮像装置内部から発生した雑音や振動がマイクブッシュの内側に入ることを抑制することが出来る。
【００５３】
図６は無線通信基板を保持する構成および組立方法を示す斜視図である。無線通信基板１４は、外部との無線通信の際に機能する部材である。一般に、無線通信に利用する電波は、金属よりも樹脂の方が透過しやすい。また、カメラ使用者の手で覆われてしまう場所に配置すると通信距離が低下しやすい。そこで、無線通信基板１４は、金属製のフロントカバーやリアカバーの直下ではなく、更に撮像装置本体のグリップされるサイドカバー直下ではなく、樹脂から成る上面カバー４０の直下に配置することにした。これにより、無線通信基板１４が外部に対して電波を送受信しやすくなるので、良好に無線通信を行うことを可能としている。
【００５４】
無線通信基板１４上には、無線通信アンテナ１４ａおよび位置決め穴１４ｂ、固定用のビス穴１１ｃ、メイン基板と無線通信基板を電気的に接続する操作フレキシブル基板１２を挿入するためのコネクタ１４ｄ等を搭載している。前記コネクタ１２ｄとメイン基板が操作フレキシブル基板１２により接続されることで電気的導通が確保されている。
【００５５】
無線通信基板１４は、無線通信基板保持部材１５と無線通信基板用板金１６を組み合わされて保持されている。
【００５６】
無線通信用板金１６は、無線通信基板保持部材１５に設けた位置決め１５ａに無線通信用基板の位置決め穴１６ａを入れ込む。次に、無線通信基板保持部材に設けた位置決め１５ｂに無線通信基板の位置決め穴１４ｂを入れ込む。無線通信基板保持部材１５には、セルフタップのビスをねじ込むネジ穴が形成されていて、無線通信基板１４と無線通信基板用板金１６を挟み込むように無線通信保持部材１５に対してビス固定され一体化される。
【００５７】
無線通信基板１４上の不図示の素子は通信時間が長くなると、発熱量が増える為、撮影者が火傷したり、素子の発熱により回路を破壊してしまう恐れがある。そこで、無線通信基板１４を無線通信基板用板金の延接部１６ｂを介して、メインシャーシ（不図示）とビス締結することで、無線通信時の発熱を効率的に熱伝導することが出来る。
【００５８】
図７（ａ）は、マイクホルダユニット２０と無線基板ユニット１４０が上面カバーに組み込まれる様子を説明する図である。
【００５９】
まず、マイクホルダユニット２０は、上面カバー４０に形成された位置決めピン（不図示）をマイクホルダ１８に形成された穴部１８ｂに通すことで位置が決まる。次に、無線基板ユニット１４０のコネクタ部１４ｄに、操作フレキシブル基板の接点部１２ｆａを接続する。次に、マイクホルダユニット２０を位置決めした位置決めピン（不図示）を無線基板保持部材１５に形成された穴部１５ｂに通すことで位置が決まる。上面カバー４０には、固定ビス１２５、１２６に対応した位置に、中心位置にセルフタップのビスをねじ込むネジ穴が形成される軸部が設けられる。マイクホルダ１８と無線基板保持部材１５には固定ビス１２５と１２６に対応した貫通穴が形成され、上面カバー４０に対してビス固定される。固定ビス１２５は無線通信基板保持部材１５とマイクホルダ１８を共締め固定し、固定ビス１２６は無線通信基板保持部材１５を固定する。
【００６０】
図７（ｂ）は本発明に係る上面カバーユニットに組み込まれたマイクブッシュの状態を示す断面図である。
【００６１】
図７（ｂ）Ａ−Ａ断面に示すように、上面カバーに組み込まれるまで操作フレキシブル基板１２とマイク１２ｅは、マイクブッシュの囲い壁部１７ｃと１７ｄと所定のクリアランスＬ１とＬ２が設けられている。上面カバー４０に組み込むことで、マイクブッシュのリブ形状部１７ｃｂと１７ｄｂが上面カバー４に寸法Ｆ１だけ押し潰される。所定のクリアランスＬ１とＬ２は、押しつぶし量Ｆ１よりも小さく設定することで、上面カバーに押し潰されたマイクブッシュ１７は、操作フレキシブル基板１２とマイク１２ｅに密着する。このようにマイクブッシュのリブ形状部１７ｃｂと１７ｄｂの凸量を調整することで、操作フレキシブル基板１２とマイク１２ｅを押圧する力を調整することが出来る。すなわち、マイクブッシュのリブ形状部１７ｃｂと１７ｄｂの凸量を大きくすれば、潰し量Ｆ１が大きくなることで押圧力が大きくなり、凸量を小さくすれば、潰し量Ｆ１が小さくなることで押圧力が小さくすることが出来る。
【００６２】
図７（ｂ）Ｂ−Ｂ断面に示すように、マイクブッシュの囲い壁部１７ｃと１７ｄはマイクホルダの側壁部１８ａａに倣って変形し、それぞれの囲い壁部１７ｃと１７ｄが合わさる。マイク１２ｅは、マイクブッシュの囲い壁部１７ｃと１７ｄと所定のクリアランスＬ３が設けられている。マイクブッシュ１７はマイクホルダ１８に組み込むことで、マイクブッシュの囲い壁部１７ｃと１７ｄがマイクホルダの側壁部１８ａａに寸法Ｆ２だけ押し潰される。所定のクリアランスＬ３は、押し潰し量Ｆ２よりも大きく設定することで、合わせ部Ｈは必ず密着された状態になる。側壁部の幅１８ａａを調整することで、それぞれの囲い壁部の合わせ部Ｈの密着力を調整することが出来る。
【００６３】
以上、説明したように、本実施形態によれば、新たに部品を追加することなく、マイクブッシュの組立作業性を向上させつつ、撮像装置で発生する雑音を低減した音声記録を行うことが可能となる。
【００６４】
以上、本発明の好ましい実施形態について説明したが、本発明はこれらの実施形態に限定されず、その要旨の範囲内で種々の変形及び変更が可能である。
【符号の説明】
【００６５】
１  撮像装置本体
１２    上面フレキシブル基板
１２ｅ  マイク
１７    マイクブッシュ
１８    マイクホルダ
【図１】
2015115810.tif 000003
【図２】
2015115810.tif 000004
【図３】
2015115810.tif 000005
【図４】
2015115810.tif 000006
【図５】
2015115810.tif 000007
【図６】
2015115810.tif 000008
【図７】
2015115810.tif 000009